【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
系統（Ｋ）に接続する系統接続機器（Ｓ）が内蔵された系統盤（Ｕ）と、前記系統接続機器（Ｓ）に接続された負荷（Ｆ）とを有した電力システムであって、
前記系統接続機器（Ｓ）及び負荷（Ｆ）に発電装置（２）を接続させる発電接続機器（３）が内蔵された発電接続盤（４）を有し、
この発電接続盤（４）の盤筐体（４’）は、前記系統盤（Ｕ）の盤筐体（Ｕ’）に取り付けられていることを特徴とする電力システム。
【請求項２】
前記発電接続機器（３）は、前記系統接続機器（Ｓ）と負荷（Ｆ）の間を接続する母線電路（Ｍ）に接続されていることを特徴とする請求項１に記載の電力システム。
【請求項３】
前記発電装置（２）は、電力を発電する発電部（６）と、この発電部（６）からの直流電流又は交流電流を交流電流に変換するパワーコンディショナ（７）と、このパワーコンディショナ（７）から入力される交流電流をより高圧な交流電流に変圧する変圧器（８）と、この変圧器（８）からのより高圧な交流電流を前記発電装置（２）から出力される発電力（Ｈ）として制御する制御部（９）を備え、
この制御部（９）は、前記発電力（Ｈ）を下げる際には、当該発電力（Ｈ）をゼロとする値、及び／又は、当該発電力（Ｈ）を下げる際における負荷（Ｆ）の消費電力（Ｄ）より低い値を、一旦は当該発電力（Ｈ）の目標値（ＴＨ）とすることを特徴とする請求項１又は２に記載の電力システム。
【請求項４】
電力を発電する発電部（６）と、この発電部（６）からの直流電流又は交流電流を交流電流に変換するパワーコンディショナ（７）と、このパワーコンディショナ（７）から入力される交流電流をより高圧な交流電流に変圧する変圧器（８）と、この変圧器（８）からのより高圧な交流電流を前記発電装置（２）から出力される発電力（Ｈ）として制御する制御部（９）を備えた発電装置であって、
前記制御部（９）は、前記発電力（Ｈ）を下げる際には、当該発電力（Ｈ）をゼロとする値、及び／又は、当該発電力（Ｈ）を下げる際における負荷（Ｆ）の消費電力（Ｄ）より低い値を、一旦は当該発電力（Ｈ）の目標値（ＴＨ）とすることを特徴とする発電装置。
【請求項５】
系統（Ｋ）に接続する系統接続機器（Ｓ）及び負荷（Ｆ）に発電装置（２）を接続させる発電接続機器（３）が、盤筐体（４’）に内蔵された発電接続盤であって、
前記発電接続機器（３）として、前記系統接続機器（Ｓ）から系統（Ｋ）へ逆流する逆電力（Ｇ）を検知する逆電力継電器（１０）と、前記系統（Ｋ）から系統接続機器（Ｓ）へ受電される受電力（Ｊ）を測定する受電力計（１１）と、前記発電装置（２）から出力される発電力（Ｈ）を測定する発電力計（１２）を備えていることを特徴とする発電接続盤。
【請求項６】
系統（Ｋ）に接続する系統接続機器（Ｓ）及び負荷（Ｆ）に発電装置（２）を接続させる発電接続機器（３）が、盤筐体（４’）に内蔵された発電接続盤であって、
前記発電接続機器（３）として、前記系統接続機器（Ｓ）から系統（Ｋ）へ逆流する逆電力（Ｇ）を検知する逆電力継電器（１０）を備え、
前記盤筐体（４’）における後面材には、前記系統接続機器（Ｓ）及び負荷（Ｆ）側への電路を挿通させる後面貫通孔（４ａ’）が設けられ、及び／又は、前記盤筐体（４’）における下面材には、前記発電装置（２）側への電路を挿通させる下面貫通孔（４ｂ’）が設けられていることを特徴とする発電接続盤。
【請求項７】
前記発電接続機器（３）として、前記盤筐体（４’）内における系統（Ｋ）と発電装置（２）の間の電路を遮断する遮断機（２１）と、前記盤筐体（４’）内における系統（Ｋ）と発電装置（２）の間の電路に設けられた変流器（２２）を備えていることを特徴とする請求項５又は６に記載の発電接続盤。
【請求項８】
前記遮断機（２１）は、コンデンサ引き外し電源装置（２３）、又は、引外しトリップコイルを介して、前記盤筐体（４’）内における系統（Ｋ）と発電装置（２）の間の電路を遮断することを特徴とする請求項７に記載の発電接続盤。
【手続補正２】
【補正対象書類名】明細書
【補正対象項目名】００１０
【補正方法】変更
【補正の内容】
【００１０】
その他、電力システム１は、前記系統接続機器Ｓと発電装置２の間の電路に、電力を蓄電する蓄電部５が接続されていても良い。
【手続補正３】
【補正対象書類名】明細書
【補正対象項目名】００１１
【補正方法】変更
【補正の内容】
【００１１】
本発明に係る電力システム１の第３の特徴は、上記第１又は２の特徴に加えて、前記発電装置２は、電力を発電する発電部６と、この発電部６からの直流電流又は交流電流を交流電流に変換するパワーコンディショナ７と、このパワーコンディショナ７から入力される交流電流をより高圧な交流電流に変圧する変圧器８と、この変圧器８からのより高圧な交流電流を前記発電装置２から出力される発電力Ｈとして制御する制御部９を備え、この制御部９は、前記発電力Ｈを下げる際には、当該発電力Ｈをゼロとする値、及び／又は、当該発電力Ｈを下げる際における負荷Ｆの消費電力Ｄより低い値を、一旦は当該発電力Ｈの目標値ＴＨとする点にある。
【手続補正４】
【補正対象書類名】明細書
【補正対象項目名】００１４
【補正方法】変更
【補正の内容】
【００１４】
その他、系統接続機器Ｓと発電装置２の間の電路に蓄電部５を接続する場合には、負荷Ｆで消費できる消費電力Ｄを越えて、発電装置２の発電量を増大させても、負荷Ｆで消費できない電力を蓄電部５で蓄電することが可能となり、「発電量の増大」と「電力ロス」の両立が図れる。
【手続補正５】
【補正対象書類名】明細書
【補正対象項目名】００１８
【補正方法】変更
【補正の内容】
【００１８】
本発明に係る発電接続盤４は、系統Ｋに接続する系統接続機器Ｓ及び負荷Ｆに発電装置２を接続させる発電接続機器３が、盤筐体４’に内蔵された発電接続盤であって、前記発電接続機器３として、前記系統接続機器Ｓから系統Ｋへ逆流する逆電力Ｇを検知する逆電力継電器１０と、前記系統Ｋから系統接続機器Ｓへ受電される受電力Ｊを測定する受電力計１１と、前記発電装置２から出力される発電力Ｈを測定する発電力計１２を備えていることを第１の特徴とする。
本発明に係る発電接続盤４の第２の特徴は、系統Ｋに接続する系統接続機器Ｓ及び負荷Ｆに発電装置２を接続させる発電接続機器３が、盤筐体４’に内蔵された発電接続盤であって、前記発電接続機器３として、前記系統接続機器Ｓから系統Ｋへ逆流する逆電力Ｇを検知する逆電力継電器１０を備え、前記盤筐体４’における後面材には、前記系統接続機器Ｓ及び負荷Ｆ側への電路を挿通させる後面貫通孔４ａ’が設けられ、及び／又は、前記盤筐体４’における下面材には、前記発電装置２側への電路を挿通させる下面貫通孔４ｂ’が設けられている点である。
本発明に係る発電接続盤４の第３の特徴は、上記第１又は２の特徴に加えて、前記発電接続機器３として、前記盤筐体４’内における系統Ｋと発電装置２の間の電路を遮断する遮断機２１と、前記盤筐体４’内における系統Ｋと発電装置２の間の電路に設けられた変流器２２を備えている点にある。
本発明に係る発電接続盤４の第４の特徴は、上記第３の特徴に加えて、前記遮断機２１は、コンデンサ引き外し電源装置２３、又は、引外しトリップコイルを介して、前記盤筐体４’内における系統Ｋと発電装置２の間の電路を遮断する点にある。
【手続補正６】
【補正対象書類名】明細書
【補正対象項目名】００１９
【補正方法】変更
【補正の内容】
【００１９】
これらの特徴により、発電接続盤４に逆電力継電器１０と受電力計１１と発電力計１２が内蔵されることによって、発電接続盤４の盤筐体４’を系統盤Ｕの盤筐体Ｕ’に取り付けるだけで容易に、発電装置２を追加（増設）した際に必要な逆電力Ｇの抑制や、受電力Ｊと発電力Ｈの利用（制御等への利用）が可能となるため、「経費、工期及び電力停止期間の低減」を図れる。
これは同時に、発電接続盤４の盤筐体４’を系統盤Ｕの盤筐体Ｕ’に取り付ければ、特許文献１とは異なり、発電装置２を追加（増設）しても、追加する発電装置２を据え付ける基礎を別途作ったり、作った基礎と既存の基礎Ｎのレベル合わせを行う必要はないため、「経費、工期及び電力停止期間の低減」を図れることも意味する。
尚、このような発電接続盤４は、当該発電接続盤４に内蔵された発電接続機器３を母線電路Ｍに接続すれば、６６００Ｖなどの高電圧で発電接続機器３を接続する（換言すれば、母線電路Ｍから分岐する分岐電路２０を有する）ことから「高圧分岐盤」であるとも言え、更に、既存の系統盤Ｕ（買電盤）などに発電接続盤４を後付け（増設）できることから、「増設型の高圧分岐盤」であるとも言える。